(57)【要約】      （修正有）【課題】能動医用埋め込み装置用の多重化電極の可制御切り替え回路の提供。【解決手段】この回路は多重化感知／ペーシング電極を具備したリードのなかに配置されている。この回路は発生器によって作られた信号を解読して一連のスイッチに命令を出すものであり、これは発生器の近接と遠位端子のいろいろな電極との選択的な接続を確実なものにしている。この信号はリード電極を発生器の近接または遠位端子に結合するための特有の構成を定義する符号化論理パルス列を含む変調信号である。この信号はマイクロパルスを含んでおり、そして、これは符号化論理パルス列に先行し、各論理パルスの振幅と期間よりも小さい振幅と期間を有している。このマイクロパルスの検出は応答として全ての回路スイッチを活性化して、符号化論理パルス列の受信期間に少なくとも等しい期間（ＰＨＡＳＥ１）、開位置にするものである。【選択図】図２
2008272444.tif 000002
【特許請求の範囲】
【請求項１】
パルス発生器と、
パルス発生器に接続される感知用またはぺーシング用多重化電極を含むリードと、
パルス発生器に結合することのできる少なくとも１個の近接端子と遠位端子、またはそれらの何れかと、
各々の電極端子が感知／ペーシング用リードの多重化電極にそれぞれ接続することのできる複数の電極端子と、
各スイッチが対応する電極端子が近接端子または遠位端子に接続された閉位置と対応する電極端子が近接端子と遠位端子から切り離された開位置を有する複数のスイッチと、
変調信号が論理パルスの符号化列を有する発生器からの変調信号を近接端子と遠位端子またはそれらの何れかの箇所で受信する手段と、変調信号によって定義される閉または開位置の構成に対応するスイッチを活性化するために変調信号を解読する手段と、マイクロパルスが論理パルスの符号化列に先行しかつ各論理パルスの振幅と間隔よりも小さい振幅と間隔を示す受信された変調信号内のマイクロパルスを検出する手段と、マイクロパルスに応答して少なくとも論理パルスの符号化列を受信している期間に等しい期間に亘って開位置の状態にある全てのスイッチを活性化するための手段とを備えた命令手段
を含む能動埋め込み型医用装置用多重化電極の可制御切り替え回路。
【請求項２】
マイクロパルスを検出する手段がさらに１０マイクロ秒よりも短い応答時間を示す高速コンパレータを含む請求項１に記載の回路。
【請求項３】
可制御切り替え回路が複数の個別サブ・サーキットを含み、各サブ・サーキットはそのスイッチまたは複数のスイッチと同様に電極端子に関連した感知用またはペーシング用電極リードの一つにそれぞれ接続することのできる電極端子を含み、かつ各々のサブ・サーキットが自分自身の命令手段を含む請求項１に記載の回路。
【請求項４】
少なくとも１つの導体を含む引き伸ばされたボディと、
１個の導体または複数の導体に接続され、かつパルス発生器の少なくとも一つの対応する近接端子と遠位端子またはそれらの何れかに接続することのできるボディの第一の突端に水平な接続器と、
ボディの第二の突端がボディの第一の突端の反対側に位置するボディの第二の突端に水平な複数の多重化ペーシング／感知電極と、
１個または複数の導体に電極の各々を選択的に接続したり、切り離したりすることのできる可制御切り替え回路を含む能動埋め込み型医用装置用ペーシング／感知多重化電極を有するリード。
【請求項５】
可制御切り替え回路がリードの中に在り、かつ第二の突端と水平であり、かつ感知／ペーシング電極の近傍にある請求項４に記載のリード。
【請求項６】
可制御切り替え回路が複数の個別のサブ・サーキットを含んでおり、そのサブ・サーキットの各々がリードの感知／ペーシング電極の一つに、電極端子に関係するスイッチまたは複数のスイッチと同様に接続可能であり、かつ各サブ・サーキットはそれ自身の命令手段を含んでおり、かつサブ・サーキットは各々リード本体に組み込まれており、対応する電極に物理的に近接して配置されており、かつ一個の導体または複数の導体に接続されている請求項４に記載のリード。
【請求項７】
少なくとも一個の近接電極と一個の遠位電極、またはそれらの何れかの電極と、
変調信号がリード電極を近接端子と遠位端子、またはそれらの何れかに結合するために特別な構成を定義する論理パルスの符号化列を含み、かつ変調信号でマイクロパルスを配信する手段と、そのマイクロパルスが論理パルスの符号化列に先行しかつ各論理パルスの振幅と期間よりも低い振幅と期間を示す、近接端子と遠位端子、またはそれらの何れかに変調信号を配信する手段を含む命令手段を含む能動埋め込み型医用装置用発生器。
【請求項８】
命令手段がさらに、マイクロパルスを配信する前に近接端子と遠位端子またはそれらの何れかを高インピーダンスに設定する手段を含む請求項７に記載の発生器。
【請求項９】
命令手段がさらに、マイクロパルスを配信する前に近接端子または遠位端子の一つを高インピーダンスの状態に設定する手段と、他の端子を接地する手段とを含む請求項８に記載の発生器。
【請求項１０】
発振器の少なくとも一つの近接端子と遠位端子、またはそれらの何れかにリード電極を接続するために特別な構成を定義する論理パルスの符号化列を含む変調信号を含む能動埋め込み型医用装置のための切り替え命令信号を作る発生器であって、その変調信号はマイクロパルスを含み、そのマイクロパルスは論理パルスの符号化列に先行し、かつ各論理パルスの振幅と期間よりも小さい振幅と期間を示すものである発生器。
【発明の詳細な説明】
【技術分野】
【０００１】
本発明は“能動医用装置”に関するものであり、そのような装置は１９９３年６月１４日のヨーロッパ共同体協議指令９３／４２／ＣＥで定義されており、さらに細かくは１９９０年６月２０日のヨーロッパ共同体協議指令９０／３８５／ＣＥＥで定義されている“能動埋め込み型医用装置”に関するものである。
【０００２】
この定義は特に心臓活動とスケジュールを監視し、このような装置によって検出された不整脈に対応してのペーシングと、再同期と、除細動と心臓除細動、またはそれらの何れかのためのパルスを供給することを意図した装置を含むものである。この定義はまた神経装置や、医用薬拡散ポンプや、蝸牛埋め込み物や、埋め込み生物学的センサーなどを、ｐＨ測定器あるいは肉体内インピーダンス測定装置（経肺動脈インピーダンスまたは心臓内インピーダンスのようなもの）と同様に包含するものである。
【背景技術】
【０００３】
能動埋め込み型医用装置はリード内に集積化された電極を介して、信号を集めたりペーシング・パルスを配信したりする。このリードはコネクターを介して電源や回路に接続されている。
【０００４】
これらの電極は、刺激を与えたい組織や電気信号を集めたい組織、例えば心筋や、神経や、筋肉などと接触するように意図されている。心臓の診断や治療用の装置の場合には、これらの電極は心臓内電極（心筋の空洞で、その壁に接触して配置される）か、または心外膜電極（好ましくは、基準電位を決めたり、またはショックを与えるための）、または血管内電極（例えば、リードは冠状静脈洞を介して左心室壁の前の位置に導入される）で有り得る。
【０００５】
いわゆる“マルチサイト”装置の領域での最近の進歩では、これらの装置に使用できかつこれらの装置の操作を改善するために直ちに１個または多数の刺激を与える電極の数を増加させるようになった。
【０００６】
心室再同期装置（いわゆる”ＣＲＴ“装置、心臓再同期治療のための）の特別な場合には、ここで限定しない方法で言えば、両心室をペーシングするための電極を具備した装置が患者に埋め込まれなくてはならない。右心室（及び右心房）をペーシングすることは標準心内リードによって行われる。しかしながら、左心室に近づくことは大変難しい。左心室をペーシングするために、通常リードは心外膜の中の冠状動脈血管を通して導入され、そのリードの先端は左心室の前に配置されなければならない。冠状動脈血管の直径はリードを進めるに従って細くなり、埋め込み作業中にリードの最適位置を見つけることは容易ではないので、この埋め込み作業は極めて難しい。更に、リードが横隔膜神経に近づくと好ましくないペーシングを生じさせることがある。
【０００７】
いわゆる“多重電極”リードはこれらの難しさを緩和するために開発された。一例として、多重電極リードに１０個の電極を具備させ、かつ埋め込みの後で最も良いペーシングを与える電極を選択させることができる。電極選択は心内加速度尖頭値（ＥＡＰ，ＰＥＡとも言われる）を測定したり、あるいは生体インピーダンスを測定することによって自動的に行われるか、または患者の血行動態に関する情報を与えるような他種のセンサーに基づいている。電極選択はまた施術者の“手によって”、パルス発生器と通信する適切な、知的なプログラマーによって行われることもある。
【０００８】
リード本体は極めて狭い直径を持たなければならないので、そのリード内に電極と同じ程多くの導体をはめ込むことは可能ではない。さもなければ、そのリードは受け容れ難いほど幅広くなってしまうからである。リードの直径はリードそれ自体のために、更にまたその接続器がパルス発生器と同じ高さになり得るために重要である。
【０００９】
これらの理由によって、電極多重化のシステムは電極の多重性をパルス発生器の端子に接続される２つの導体に整合させるために開発された（単純な両極性リードの対応する電極の位置と同様に、これらの２つの電極は以後、“遠位”そして“近接”と言う）。単純化された実施態様に於いては、これらの２つの導体は１つの導体によって置き換えられる（単純な単極性心内リードに対応して）、ここではパルス発生器の筺体が患者の体組織を介して回路帰還を確実なものにしている。単一導体を用いる特別な実施態様はリードが２つの導体を含むようなものに適応させることができる。
【００１０】
米国特許出願公開第２００６／００５８５８８号明細書は、パルス発生器が多重化器／分波器回路を介して２つの導体によって多電極リード線に接続される装置について述べている。これらの２つの導体は消極信号を集めて、ペーシング・パルスを配信する。これらの２つの導体はまた、１つまたはそれ以上のリード電極のための選択スイッチに制御を与える多重化器／分波器回路に論理信号を配信する。これらの信号はまた多重化器／分波器回路とスイッチの動作に必要なエネルギーを供給する。
【００１１】
多重化器／分波器回路とスイッチは好ましくはリード先端に配置されることである。好ましい実施態様においては、切り替え器はマイクロ電気機械システム（ＭＥＭＳ）であり、技術的にはリード本体の中に内蔵可能なチップの基板に集積化可能である。そのような部品は例えば、米国特許出願公開第２００４／０２２０６５０号明細書に述べられている。
【００１２】
先行技術において、これらは明確に米国特許出願公開第２００３／０１４９４５６号明細書で開示されているが、このスイッチはリード先端に配置された回路に論理パルスの符号化列を送ることによって制御される。パルスの各配列はスイッチの中の１個を一価の方法で“オン”かまたは“オフ”に設定するように決定する。しかしながら、その回路が集められた信号がパルスの符号化列であってペーシング信号ではないということを検出するために、パルス配列は１バイトを符号化する論理パルス配列でゼロに初期化される。このバイトを解読することによって次に来る信号が命令信号であることを回路に認識させることができる。その後で、この回路はその時に配信されるパルスから電極を電気的に分離するように全てのスイッチを開く。一度パルス配列が集められて解析されると、回路はこの配列符号に対応する特別な構成に従ってスイッチを活性化する。
【００１３】
しかしながら、この技術は危険性を示す。符号化パルス列の開始を定義するバイトがゼロに設定されて回路に供給されると、対応する論理レベルは電極、これらの電極はスイッチによって切り替えられる電極である、の少なくとも一つに等しく供給される、何故ならばスイッチはその時には全て開くように計画されていなかったからである。これはパルス配列の論理レベルが無視できない電圧レベルを有し、過度の細動を引き起こすように見え、それ故に患者にとって潜在的に致命的な危険性を創り出すので、患者にとって無視できない危険性が生じる。
【００１４】
これらの理由で、先行技術によって提案されたこの技術は主に埋め込みの時に一つまたは多くの最適な電極の選択に制限されており、自動かまたは手動のどちらかであるが、切り替え電極の構成の任意の埋め込み後プログラミングに対しては適合していない。
【発明の目的と概要】
【００１５】
それ故に、本発明の目的はスイッチをすばやく開いて患者の心臓に過剰な電圧が印加されることを避けることによって先行技術の技術的な問題に対する解を提供し、それ故に細動を引き起こす危険性を最小化することである。
【００１６】
最後に、本発明は前に引用した米国特許出願公開第２００６／００５８５８８号明細書によって述べられている一般的な型の多重化電極の可制御切り替え回路を提案する。この回路は、パルス発生器に接続することのできる少なくとも一つの近接端子と遠位端子、またはそれらの何れかと、感知／ペーシング用リード電極にそれぞれ接続可能な複数の電極端子と、対応する電極端子が近接端子または遠位端子に接続されている閉位置か、またはこの電極が近接端子と遠位端子から分離されている開位置のどちらかを有することのできる複数のスイッチと、発生器によって配信される近接端子と遠位端子、またはそれらの何れかの上で受信する手段を含み、かつ論理パルスの符号化列を含み、かつ変調信号によって規定されるように閉か、または開位置に対応する特別な構成に従ってスイッチを活性化するために変調信号を解読するための手段を含む命令手段を含むものである。
【００１７】
本発明の特徴的な方法において、命令手段は更に集められた変調信号内のマイクロパルス、そのマイクロパルスは論理パルスの符号化列に先行し、かつ各々の論理パルスの符号化列の振幅と期間よりも小さい振幅と期間を示すものであるが、これを検出し、かつ論理パルスの符号化列の受信期間に少なくとも等しい期間に亘って全てのスイッチが開位置になるように駆動するための命令を含むものである。
【００１８】
マイクロパルスを検出する手段は好ましくは１０μ秒より少ない応答時間を示す高速コンパレータを含むことができる。
【００１９】
好ましい実施態様に於いて、可制御切り替え回路は複数の個別サブ・サーキット回路を含み、かつ各サブ・サーキットは電極端子に関連するスイッチと同様に、ペーシング／感知用リード電極の一つに接続可能なそれぞれの電極端子を含み、かつこれらのサブ・サーキットの各々は自身の命令手段を含むものである。
【００２０】
本発明の他の特徴はそのような回路を含むリードに関係している。この回路はリード内の第二の先端部分に有利に配置されている。可制御切り替え回路は一つより多いサブ・サーキットを有する回路であるとき、各サブ・サーキットはリード本体内に集積化されるか、またはリード本体の空洞内に配置され、かつ接近した位置で対応する電極に接するように導体に接続される。
【００２１】
本発明の更にもう一つの特徴は前に開示したように信号を作り出す発生器に向けられる。この発生器は好ましくはマイクロパルスの配信の前に、近接点と遠位点の端子、またはそれらの何れかを高インピーダンス状態に設定する手段を含むことである。更に詳しくは、これらの手段は二つの端子（近接点または遠位点の）の内の一つを高インピーダンスに設定し、かつマイクロパルスを配信する前に高インピーダンスではない他の端子をグランドに接続する。最後に本発明のもう一つの特徴はそのように考えて前に説明したように信号配列に向けられる。
【００２２】
本発明の更なる性質、有利性と特徴は発明の好ましい実施態様の以下の詳しい説明の見地から、当技術分野において通常の知識を持った人にとって明らかになるであろう。これは同じ参照文字が同じ素子を説明する付加図面を参考にして説明されている。
【発明の詳細】
【００２３】
この発明の実施態様例を図面の図１から６を参考にして詳細に説明する。
【００２４】
図１は以下の説明で例として使用される左心室ペーシング用リードの端部を図的に示している。しかしながら、この例は勿論制限しているのではなく、この発明はまた他の型の心内リード（例えば、右心室の多数箇所における感知／ペーシング用リード）あるいはペーシングと感知リード、あるいはそれらの何れか、他の組織、神経、筋肉、その他と接触する電極などに適用することができる。
【００２５】
リード１０は一般的なものであり、例えばＥＬＡ  Ｍｅｄｉｃａｌ，Ｓ．Ａ．に割り当てられた米国特許第６，３８５，４９２号明細書で述べられている。冠静脈網に導入するのを意図した遠位先端１４の近傍内に、リード本体１２は複数の電極１６、例えば図１に示されるように１０個の電極を含んでいる。このリードはまた硬いリング１８の上に乗っている電子回路２０を含んでいる。この電子回路は周りの体液や組織と生体適合性を維持している間、密封して封入されている。リードに沿ったマイクロケーブルと同じように、この回路をリード本体内に組み入れるか、またはその空洞内に配置することができる。
【００２６】
回路２０は図２にさらに詳しく示されている。この回路はこのような電子回路（用途向け集積回路、ＡＳＩＣ）を組み込んだ第１のチップ２２と、マイクロ電気機械システム（ＭＥＭＳ）として有利に集積化される一連のスイッチを有する第２のチップ２４を含んでいる。
【００２７】
この回路はそれぞれ“近接端子”と“遠位端子”と今後言われる２つの端子２６，２８を含んでおり、これらは離れた両極性パルス発生器３０の２つの通常の近接Ｐと遠位Ｄ極にリード本体の全長に亘って伸びているマイクロケーブルと発生器３０に接続されているコネクター３２を介して接続されている。この回路はまた１０個の電極端子３４を含んでおり、各々はマイクロケーブルによってリード表面に置かれたそれぞれの電極１６に接続されている。
【００２８】
図３は回路２２の電気的ダイヤグラムと関連するスイッチ２４を示している。図３はまた１０個の電極端子と同様に、近接２６と遠位２８端子を示している。この図を更に明らかにするために、これらの端子は図３の表面と底面部分で１０個の端子を２つの配列に分割されているが、これは表面部の第１端子３４が底面の配列の第１端子３４に接続されており、かつ各配列の他の９つのそれぞれに関しても同様である。
【００２９】
各電極端子３４は関連するスイッチ３６と共通の直列抵抗３８を介して近接端子２６に接続されている。同様に、各電極３４はまた関連するスイッチ４０と共通の直列抵抗４２を介して遠位コネクター２８に接続されている。これらのスイッチ３６と４０は有利なことに、状態を変化させるときにのみ電力を必要とし、一状態または他の状態に維持するための電力は必要としない双安定素子である。
【００３０】
これらのスイッチ３６は第１の解読回路４４によって供給される関連信号Ｐ１…Ｐ１０によって命令を受け、同様にスイッチ４０は第２解読回路４６によって供給される関連信号Ｄ１…Ｄ１０によって命令される。
【００３１】
端子２６と２８で受信した信号を整流し、かつ容量でそのエネルギーを保存するように、回路２２は例えば最終的に電圧安定化回路と関連する容量が接続されるダイオードを含む電源（図示されていない）を含んでいる。
【００３２】
解読回路４４と４６は近接端子２６と遠位端子２８、またはそれらの何れかに与えられる論理信号の配列（回路４４と４６の入力に与えられる信号ＰとＤ）を検出し、解析する論理回路を含んでいる。符号化は例えばマンチェスター型であって、配列“１０”によって定義される高論理レベル（１）と配列“０１”によって定義される低論理レベル（０）であり、“１”と“０”の期間は等しく、たとえば３０μ秒である。回路４４と４６は、クロックの半周期が２つのパルス端を分離する時間間隔によって定義されている、受信された論理パルス列に基づくクロック信号を再構成するための同期論理回路を含んでいる。
【００３３】
クロック信号が一度受信されると、回路４４と４６は低レベルと高論理レベルを分離する期間を測定し、そしてそれから閉じるべきスイッチ３６または４０を決定するアドレスを推定する。信号の解読は、このように各電極が近接端子２６に接続されるか遠位端子２８に接続されるかまたはこれら２つの端子から電気的に分離されるように特有の対応構成を樹立する。この結果、両極性の感知／ペーシング動作ができるようにパルス発生器の近接端子Ｐはリードの１０個の電極の中から１個またはそれ以上の電極に結合される。もし発生器の唯一の端子（ＰまたはＤ）が使用されるか、またはもし発生器が唯一の端子を含むならば、電流ループが発生器の金属ケースまでの患者の身体によって閉じるので、その発生器は単極性の感知／ペーシングまたは擬似両極性モードで動作することが可能である。
【００３４】
回路２２はまた、除細動ショック与えたり、電気焼灼装置を使用したりなどをするときに回路の電子的動作を守るために過電圧検知器を有している。この過電圧検知器はコンパレータ４８を使用して与えられた制限値、例えば１００ｍＡより高い電流Ｉｐを抵抗３８を通して検出する。この値より高い電流が検出されるとき、コンパレータ４８の出力が変化し、信号Ｐ０が回路４４に与えられ、全てのスイッチ３６を即座に開くようにトリガーを与える。同じように、コンパレータ５０は抵抗４２を通して与えられた制限値より高い電流Ｉｄを検知して信号Ｄ０が回路４６に与えられ、全てのスイッチ４０を即座に開くようにトリガーを与える。
【００３５】
回路２２はまたコンパレータ５２を含んでおり、これは１０μ秒よりも低い応答時間を示す高速アナログ回路であって、近接端子２６と遠位端子２８の間で与えられた閾値電圧よりも高い差電圧、例えば５００ｍＶを検知するために使用される。明らかに図４のタイムダイヤグラムを使って説明できるように、近接端子２６が発生器によってグランドに接続され、その発生器が遠位端子２８にマイクロパルスを配信するときに、このような場合が発生する。コンパレータ５２がスイッチして復号回路４４と４６に信号ＰｘとＤｘを供給し、全てのスイッチ３６と４０を開く。
【００３６】
図４はコンパレータ５２の出力で集められる信号Ｐｘ、Ｄｘと同様に、発生器によって近接端子２６と遠位端子２８に供給される信号列を示している。
【００３７】
装置が不活性な期間に対応する第１フェーズ（ＰＨＡＳＥ  １）内で、６０と６１の参照で示されるように、発生器は発生器の近接端子と遠位端子ＰとＤを高インピーダンス状態（ＨｉＺ）に設定する。このフェーズが終了する少し前に、参照６４（期間ｔ１）で示されるように、発生器は近接端子をグランドに設定する。ゼロ論理状態に対応しているこの状態はペーシング・パルスが印加されるまで維持される。
【００３８】
近接端子Ｐがゼロに設定された後、この場合はマイクロパルス６６を遠位端子Ｄに供給し、次のフェーズ（ＰＨＡＳＥ  ２）の開始を構成する。例えば、マイクロパルス６６は振幅０．５Ｖと数マイクロ秒または数分の一マイクロ秒の期間を有している。マイクロパルスの比較的低い電圧と期間によって、そこに含まれるエネルギーは大変低く、どのような場合にも患者にとってリスクとなるような程大きくはならない。このマイクロパルスはまたリードの回路２２の遠位端子２８に接続されるこの電極、またはこれら複数の電極に供給される。
【００３９】
このマイクロパルスは、６８に示されるようにコンパレータ５２によって検出される。マイクロパルスを検出し出力状態を変化させるためにコンパレータに要求される時間は大変短く、通常は１マイクロ秒以下であり、ここでの狙いは単にコンパレータのスイッチングのスケジュールをすることなので、これはどのような解読作業も、論理処理も必要としない動作である。ＰＨＡＳＥ  ２の期間でマイクロパルスの検出は回路の全てのスイッチ３６と４０の開放を生じさせる。このフェーズの期間中、この発生器はスイッチが近接端子２６かまたは遠位端子２８に接続（他のスイッチは開放のまま）されなくてはならないことを示す符号化パルス列７２を発生する。いつも近接端子Ｐが７０で示されるように、電気的にグランドとして使用されるようにゼロに設定される限りにおいて、遠位端子２８に集められる符号パルス列７２はコンパレータ５２によって検出され、その出力端子にそのまま留まって、最終的に解読回路４４と４６にそのまま供給される（信号ＰｘとＤｘ）。
【００４０】
次のフェーズ（ＰＨＡＳＥ  ３）は、符号化信号７２を受信した後で開始し、符号化パルスによって指定されたスイッチを閉じさせる。その時間間隔の間、発生器は近接端子Ｐを電気的グランドに維持し（７４に示されるように）、遠位端子Ｄを高インピーダンスレベルに設定する（７６のように）。
【００４１】
それからペーシング・パルス７８が配信される。両極性ペーシングの場合には近接端子Ｐはグランドに切り替えられたままになっているが（７４のように）、一方において単極性ペーシングの場合には近接端子Ｐを高インピーダンスレベルに設定する（８０のように）。ペーシング・パルス７８が配信された後、その装置は不活性状態に戻る。近接端子Ｐと遠位端子Ｄは再び発生器によって高インピーダンスレベルに設定され（８２と８４で示されるように）、そしてスイッチは初期状態に留まる。
【００４２】
図５と６は本発明の別の実施態様を示している。この別の実施態様において多重化／分波器回路２０は複数の物理的に異なったサブ・サーキット２０ａ、２０ｂ、２０ｃ．．．に分割され、それぞれ対応する電極１６ａ、１６ｂ、１６ｃ．．．の前に（極めて近接して）配置される。これらの各サブ・サーキットは関連する電極のアドレス指定と解読を確実にするものであり、リード１２の本体の壁の層に組み入れられる。
【００４３】
図６はそのようなサブ・サーキットの電気的ダイヤグラムを示している。図３に示された回路の素子と同じ主要な素子がここで見ることができる、すなわち近接端子（２６）と遠位端子（２８）、解読論理回路４４と４６、過電圧検出器３８と４８と４２と５０であり、同様に初期マイクロパルスと命令列の順次変化する論理状態を解読するコンパレータ５２である。
【００４４】
この特有な実施態様において、サブ・サーキットは唯一の電極３４に接続されており単に２つのスイッチ３６と４０を含んでいる。ここで、第一のスイッチ（３６）は電極３４を近接端子３６に接続し、第二のスイッチ（４０）は電極３４を遠位端子３８に接続する。各サブ・サーキットは解読のために自身の集積回路（４４と４６）を集積化しており、これは関連するスイッチ３６または４０の制御された開閉を介して、対応する電極の選択を確実にしている。
【００４５】
これらのサブ・サーキットの各々は第二の近接端子２６’と第二の遠位端子２８’を含んでおり、それぞれ端子２６と２８に電気的に接続されている。これらの第二の端子は、近接（Ｐ）と遠位（Ｄ）入力端子で受信した信号を次のサブ・サーキットに導くために、出力端子Ｐ’とＤ’の機能を有している。すなわち、このサブ・サーキットは遠位方向へのダウンストリームに配置されたサブ・サーキットである。
【００４６】
電気的な観点から、いろいろなサブ・サーキット２０ａ、２０ｂ、２０ｃ、その他は発生器の遠位と近接極に接続されたマイクロケーブルに各々結合されている。そしてこの構成は特に解読回路に多くのマイクロケーブルが接続され過ぎることがないようにしており、これは図３の場合のように、この回路が複数の電極に共通になっているような場合である。
【００４７】
本発明が開示された実施態様、これは例示する目的のために示されたものであって制限するものでは無いのであるが、これ以外の実施態様によって実施されうるということは本技術に熟達した者には良く理解できるであろう。
【図面の簡単な説明】
【００４８】
【図１】従来の多重化電極を持つ左心室ペーシングリードの先端部分の一般的な図である。
【図２】本発明の好ましい実施態様に従った回路であって、それには色々な素子が接続されている回路図である。
【図３】本発明の回路を構成する主要素子を表すブロックダイヤグラムである。
【図４】本発明の回路動作を示す一組の時間ダイヤグラムである。
【図５】本発明の第一の実施態様に従ったリード本体の細かい部分図である。
【図６】本発明のこの実施態様例のために、この発明の回路を構成する主要素子を表すブロックダイヤグラム図である。
【図１】
2008272444.tif 000003
【図２】
2008272444.tif 000004
【図３】
2008272444.tif 000005
【図４】
2008272444.tif 000006
【図５】
2008272444.tif 000007
【図６】
2008272444.tif 000008
【外国語明細書】
2008272444.tif 000009
2008272444.tif 000010
2008272444.tif 000011
2008272444.tif 000012
2008272444.tif 000013
2008272444.tif 000014
2008272444.tif 000015
2008272444.tif 000016
2008272444.tif 000017
2008272444.tif 000018
2008272444.tif 000019
2008272444.tif 000020
2008272444.tif 000021
2008272444.tif 000022
2008272444.tif 000023
2008272444.tif 000024
2008272444.tif 000025
2008272444.tif 000026